(57)【要約】【課題】手間とコストとをかけずに物品の押さえ構造を作ることができる物品収納容器を提供する。【解決手段】頂部フラップ１９に形成された第１押さえ構造２６は、物品２８の側面５８に面で当接する第１当接部２４と、第１当接部２４を横方向から支える第１支持部２５とを有する。第１当接部２４は、フラップ１９の自由端縁から頂壁１６に向かって縦方向へ延びる第１切離線とフラップ１９を横方向へ延びる第２切離線とによってフラップ１９から切り離されるとともに、フラップ１９の自由端縁から頂壁１６に向かって縦方向へ延びていて第２切離線の延出端につながる第１折曲線によって横方向内方へ折曲されて作られている。第１支持部２５は、第１折曲線の下端から第１切離線の反対側に向かって横方向へ上がり勾配に傾斜してフラップ１９の自由端縁に達する第２折曲線によって縦方向内方へ折曲されて作られている。【選択図】図４
2011042374.tif 000002
【特許請求の範囲】
【請求項１】
可撓性を有する６つの壁が実質的に直交する六面体であり、それら壁が、互いに対向して縦方向へ延びる第１および第２側壁と、互いに対向して縦方向へ延びる第３および第４側壁と、前記第１側壁に連接されて頂部開口を開閉可能な頂壁と、前記第２側壁に連接されて底部開口を開閉可能な底壁とから形成され、前記頂壁に連接された頂部フラップと、前記底壁に連接された底部フラップとを有する物品収納容器において、
前記頂部フラップには、前記容器に所定の物品を収納したときに、その物品の横方向の動きを押さえる第１押さえ構造が形成され、前記第１押さえ構造が、前記容器に収納された物品の一面に当接する第１当接部と、前記第１当接部を横方向から支える第１支持部とを有し、
前記第１当接部が、前記頂部フラップの自由端縁から前記頂壁に向かって縦方向へ延びる第１切離線と前記第１切離線の下端につながって頂部フラップを横方向へ延びる第２切離線とによって該頂部フラップから切り離されるとともに、前記第１切離線から横方向へ離間して前記頂部フラップの自由端縁から前記頂壁に向かって縦方向へ延びていて前記第２切離線の延出端につながる第１折曲線によって横方向内方へ折曲されて作られ、前記第１支持部が、前記第２切離線の延出端につながって前記第１折曲線の下端から前記第１切離線の反対側に向かって横方向へ上がり勾配に傾斜して前記頂部フラップの自由端縁に達する第２折曲線によって縦方向内方へ折曲されて作られていることを特徴とする物品収納容器。
【請求項２】
前記第１切離線と前記第１折曲線との間には、前記第１切離線から横方向へ離間した前記頂部フラップの自由端縁から該第１切離線に達する第１切欠部が形成されている請求項１記載の物品収納容器。
【請求項３】
前記物品収納容器では、前記第１折曲線と前記第２折曲線との交差角度が９０度である請求項１または請求項２に記載の物品収納容器。
【請求項４】
前記容器に収納される物品が、前記容器の底壁の側に収納されて横方向の寸法が第１および第２側壁のそれと略同一の第１物品と、前記容器の頂壁の側であって前記第１物品の上に収納されて横方向の寸法が第１および第２側壁のそれよりも小さい第２物品とから形成され、前記物品収納容器では、前記第１押さえ構造の第１当接部が前記第２物品の側面に当接して該第２物品の横方向の動きを押さえ、前記第２物品が前記容器の第３および第４側壁のいずれか一方と前記第１当接部との間に支持される請求項１ないし請求項３いずれかに記載の物品収納容器。
【請求項５】
前記第１押さえ構造から横方向へ離間した前記頂部フラップには、前記容器に収納された物品の横方向の動きを押さえる第２押さえ構造が形成され、前記第２押さえ構造が、前記容器に収納された物品の一面に当接する第２当接部と、前記第２当接部を横方向から支える第２支持部とを有し、
前記第２当接部が、前記頂部フラップの自由端縁から前記頂壁に向かって縦方向へ延びる第３切離線と前記第３切離線の下端につながって頂部フラップを横方向へ延びる第４切離線とによって該頂部フラップから切り離されるとともに、前記第３切離線から横方向へ離間して前記頂部フラップの自由端縁から前記頂壁に向かって縦方向へ延びていて前記第４切離線の延出端につながる第３折曲線によって横方向内方へ折曲されて作られ、前記第２支持部が、前記第４切離線の延出端につながって前記第３折曲線の下端から前記第３切離線の反対側に向かって横方向へ上がり勾配に傾斜して前記頂部フラップの自由端縁に達する第４折曲線によって縦方向内方へ折曲されて作られている請求項１ないし請求項３いずれかに記載の物品収納容器。
【請求項６】
前記第３切離線と前記第３折曲線との間には、前記第３切離線から横方向へ離間した前記頂部フラップの自由端縁から該第３切離線に達する第２切欠部が形成されている請求項５記載の物品収納容器。
【請求項７】
前記物品収納容器では、前記第３折曲線と前記第４折曲線との交差角度が９０度である請求項５または請求項６に記載の物品収納容器。
【請求項８】
前記容器に収納される物品が、前記容器の底壁の側に収納されて横方向の寸法が第１および第２側壁のそれと略同一の第１物品と、前記容器の頂壁の側であって前記第１物品の上に収納されて横方向の寸法が第１および第２側壁のそれよりも小さい第２物品とから形成され、前記物品収納容器では、前記第１押さえ構造の第１当接部が前記第２物品の一方の側面に当接しつつ、前記第２押さえ構造の第２当接部が前記第２物品の他方の側面に当接して該第２物品の横方向の動きを押さえ、前記第２物品が前記第１および第２当接部の間に支持される請求項５ないし請求項７いずれかに記載の物品収納容器。
【請求項９】
前記容器に収納される物品が、前記容器の底壁の側に収納されて横方向の寸法が第１および第２側壁のそれと略同一の第１物品と、前記容器の頂壁の側であって前記第１物品の上に収納されて横方向の寸法が第１および第２側壁のそれよりも小さい第２および第３物品とから形成され、前記物品収納容器では、前記第１押さえ構造の第１当接部が前記第２物品の側面に当接して該第２物品の横方向の動きを押さえ、前記第２物品が前記容器の第３側壁と前記第１当接部との間に支持され、前記第２押さえ構造の第２当接部が前記第３物品の側面に当接して該第３物品の横方向の動きを押さえ、前記第３物品が前記容器の第４側壁と前記第２当接部との間に支持される請求項５ないし請求項７いずれかに記載の物品収納容器。
【発明の詳細な説明】
【技術分野】
【０００１】
本発明は、内部に所定の物品を収納する物品収納用容器に関する。
【背景技術】
【０００２】
頂壁と、頂壁に対向する底壁と、頂底壁の間に存在する各側壁とを備え、可撓性材料からなるシート部材をその一辺に沿って頂底壁のいずれか一方の内面に接合し、その接合部からシート部材を折り曲げることによって頂壁または底壁の内面から離れる方向へ弾性的習性を与えて押さえ板（押さえ構造）を形成し、その押さえ板が容器内に収納した物品を頂底壁のいずれかに向かって押圧する六面体の物品収納容器がある（特許文献１参照）。この容器は、物品をそこに収納したときに、押さえ板が広い面積で物品に接触するから、押さえ板の弾性的な押圧力と接触面における摩擦力とによって物品を支持することができ、容器内における物品の偏りを防ぐことができる。
【先行技術文献】
【特許文献】
【０００３】
【特許文献１】実願平９−５５１１号公報
【発明の概要】
【発明が解決しようとする課題】
【０００４】
前記公報に開示の物品収納容器は、押さえ板によって容器内に物品を固定することができ、容器内に収納された物品の不用意な遊動を防ぐことができる。しかし、この容器は、押さえ板として容器とは別の可撓性シート部材が使用されており、そのシート部材の一辺を頂底壁のいずれか一方の内面に接合しつつ、その接合部からシート部材を折り曲げて押さえ板を作らなければならないから、押さえ機構付きの物品収納容器の製造に手間とコストとを要する。
【０００５】
本発明の課題は、別部材からなる押さえ構造を別途取り付ける必要はなく、手間とコストとをかけずに物品の押さえ構造を作ることができる物品収納容器を提供することにある。
【課題を解決するための手段】
【０００６】
前記課題を解決するための本発明の前提は、可撓性を有する６つの壁が実質的に直交する六面体であり、それら壁が、互いに対向して縦方向へ延びる第１および第２側壁と、互いに対向して縦方向へ延びる第３および第４側壁と、第１側壁に連接されて頂部開口を開閉可能な頂壁と、第２側壁に連接されて底部開口を開閉可能な底壁とから形成され、頂壁に連接された頂部フラップと、底壁に連接された底部フラップとを有する物品収納容器である。
【０００７】
前記前提における本発明の特徴として、頂部フラップには、容器に所定の物品を収納したときに、その物品の横方向の動きを押さえる第１押さえ構造が形成され、第１押さえ構造が、容器に収納された物品の一面に当接する第１当接部と、第１当接部を横方向から支える第１支持部とを有し、第１当接部が、頂部フラップの自由端縁から頂壁に向かって縦方向へ延びる第１切離線と第１切離線の下端につながって頂部フラップを横方向へ延びる第２切離線とによって頂部フラップから切り離されるとともに、第１切離線から横方向へ離間して頂部フラップの自由端縁から頂壁に向かって縦方向へ延びていて第２切離線の延出端につながる第１折曲線によって横方向内方へ折曲されて作られ、第１支持部が、第２切離線の延出端につながって第１折曲線の下端から第１切離線の反対側に向かって横方向へ上がり勾配に傾斜して頂部フラップの自由端縁に達する第２折曲線によって縦方向内方へ折曲されて作られていることにある。
【０００８】
本発明の一例として、第１切離線と第１折曲線との間には、第１切離線から横方向へ離間した頂部フラップの自由端縁から第１切離線に達する第１切欠部が形成されている。
【０００９】
本発明の他の一例として、物品収納容器では、第１折曲線と第２折曲線との交差角度が９０度である。
【００１０】
本発明の他の一例としては、容器に収納される物品が、容器の底壁の側に収納されて横方向の寸法が第１および第２側壁のそれと略同一の第１物品と、容器の頂壁の側であって第１物品の上に収納されて横方向の寸法が第１および第２側壁のそれよりも小さい第２物品とから形成され、物品収納容器では、第１押さえ構造の第１当接部が第２物品の側面に当接して第２物品の横方向の動きを押さえ、第２物品が容器の第３および第４側壁のいずれか一方と第１当接部との間に支持される。
【００１１】
本発明の他の一例として、第１押さえ構造から横方向へ離間した頂部フラップには、容器に収納された物品の横方向の動きを押さえる第２押さえ構造が形成され、第２押さえ構造が、容器に収納された物品の一面に当接する第２当接部と、第２当接部を横方向から支える第２支持部とを有し、第２当接部が、頂部フラップの自由端縁から頂壁に向かって縦方向へ延びる第３切離線と第３切離線の下端につながって頂部フラップを横方向へ延びる第４切離線とによって頂部フラップから切り離されるとともに、第３切離線から横方向へ離間して頂部フラップの自由端縁から頂壁に向かって縦方向へ延びていて第４切離線の延出端につながる第３折曲線によって横方向内方へ折曲されて作られ、第２支持部が、第４切離線の延出端につながって第３折曲線の下端から第３切離線の反対側に向かって横方向へ上がり勾配に傾斜して頂部フラップの自由端縁に達する第４折曲線によって縦方向内方へ折曲されて作られている。
【００１２】
本発明の他の一例として、第３切離線と第３折曲線との間には、第３切離線から横方向へ離間した頂部フラップの自由端縁から第３切離線に達する第２切欠部が形成されている。
【００１３】
本発明の他の一例として、物品収納容器では、第３折曲線と第４折曲線との交差角度が９０度である。
【００１４】
本発明の他の一例としては、容器に収納される物品が、容器の底壁の側に収納されて横方向の寸法が第１および第２側壁のそれと略同一の第１物品と、容器の頂壁の側であって第１物品の上に収納されて横方向の寸法が第１および第２側壁のそれよりも小さい第２物品とから形成され、物品収納容器では、第１押さえ構造の第１当接部が第２物品の一方の側面に当接しつつ、第２押さえ構造の第２当接部が第２物品の他方の側面に当接して第２物品の横方向の動きを押さえ、第２物品が第１および第２当接部の間に支持される。
【００１５】
本発明の他の一例としては、容器に収納される物品が、容器の底壁の側に収納されて横方向の寸法が第１および第２側壁のそれと略同一の第１物品と、容器の頂壁の側であって第１物品の上に収納されて横方向の寸法が第１および第２側壁のそれよりも小さい第２および第３物品とから形成され、物品収納容器では、第１押さえ構造の第１当接部が第２物品の側面に当接して第２物品の横方向の動きを押さえ、第２物品が容器の第３側壁と第１当接部との間に支持され、第２押さえ構造の第２当接部が第３物品の側面に当接して第３物品の横方向の動きを押さえ、第３物品が容器の第４側壁と第２当接部との間に支持される。
【発明の効果】
【００１６】
本発明に係る物品収納容器によれば、そこに収納した物品の横方向の動きを押さえる第１押さえ構造が頂部フラップに形成され、第１押さえ構造の第１当接部が物品の一面に当接しつつ第１支持部が第１当接部を横方向から支えるから、横寸法が第１および第２側壁のそれよりも小さい物品を容器に収納したときに、第１当接部や第１支持部によってその物品の横方向の動きが阻止され、物品を容器内に固定することができ、容器内における物品の不用意な遊動を防ぐことができる。物品収納容器は、その頂部フラップに第１押さえ機構が形成されるから、別部材からなる押さえ機構を容器に別途取り付ける必要はなく、別部材の押さえ機構を容器に取り付ける場合にかかる手間とコストとを削減することができ、押さえ機構を有する容器を低価格で製造することができる。
【００１７】
第１切離線と第１折曲線との間に頂部フラップの自由端縁から第１切離線に達する第１切欠部が形成された物品収納容器は、頂部フラップの一部を第１および第２切離線から切り離すとともに第１折曲線で折曲することで第１当接部を作るときに、第１切欠部を利用して第１当接部となる部位を第１および第２切離線から容易に切り離すことができるとともに、第１切欠部を利用して第１折曲線で容易に折曲することができ、頂部フラップに第１切欠部が形成されていない場合と比較し、頂部フラップにおいて第１当接部を作るときの操作性が向上する。
【００１８】
第１折曲線と第２折曲線との交差角度が９０度である物品収納容器は、第１および第２切離線から切り離すとともに第１折曲線で折曲して第１当接部を作り、さらに、第２折曲線で折曲して第１支持部を作った後、頂部フラップを収納部に挿入したときに、第１当接部が各側壁と並行となって上下方向上方へ起立するから、第１当接部を物品の側面に面で当接させることができ、第１当接部が物品に点で当接する場合と比較し、物品の横方向の動きを第１当接部によって確実に阻止することができる。
【００１９】
横方向の寸法が第１および第２側壁のそれと略同一の第１物品と第１物品の上に配置されて横方向の寸法が第１および第２側壁のそれよりも小さい第２物品とが収納され、第２物品を第３および第４側壁のいずれか一方と第１当接部との間に支持する物品収納容器は、第１押さえ構造の第１当接部が第２物品の側面に当接しつつ、第１支持部が第１当接部を横方向から支えることで、第２物品が容器の第３および第４側壁のいずれか一方と第１当接部との間に支持されるから、横方向の寸法が第１および第２側壁のそれよりも小さい第２物品を容器に収納したときに、第１当接部や第１支持部によって第２物品の横方向の動きが阻止され、第２物品を容器内に固定することができ、容器内のおける第２物品の不用意な遊動を防ぐことができる。物品収納容器は、横方向の寸法が異なる２種類の物品を容器に固定した状態で収納かつ陳列することができ、寸法が異なる２種類の物品のセット品としてそれら物品を１つの容器で一度に販売することができる。
【００２０】
第１押さえ構造から横方向へ離間した頂部フラップに物品の横方向の動きを押さえる第２押さえ構造が形成され、第１押さえ構造に加えて第２押さえ構造の第２当接部が物品の一面に当接しつつ第２支持部が第２当接部を横方向から支えるから、横方向の寸法が第１および第２側壁のそれよりも小さい物品を容器に収納したときに、第１当接部および第１支持部や第２当接部および第２支持部によってその物品の横方向の動きが阻止され、物品を容器内に固定することができ、容器内のける物品の不用意な遊動を防ぐことができる。物品収納容器は、その頂部フラップに第１および第２押さえ機構が形成されるから、別部材からなる押さえ機構を容器に別途取り付ける必要はなく、別部材の押さえ機構を容器に取り付ける場合にかかる手間とコストとを削減することができ、第１および第２押さえ機構を有する容器を低価格で製造することができる。
【００２１】
第３切離線と第３折曲線との間に頂部フラップの自由端縁から第３切離線に達する第２切欠部が形成された物品収納容器は、頂部フラップの一部を第３および第４切離線から切り離すとともに第３折曲線で折曲することで第２当接部を作るときに、第２切欠部を利用して第２当接部となる部位を第３および第４切離線から容易に切り離すことができるとともに、第２切欠部を利用して第３折曲線で容易に折曲することができ、頂部フラップに第２切欠部が形成されていない場合と比較し、頂部フラップにおいて第２当接部を作るときの操作性が向上する。
【００２２】
第３折曲線と第４折曲線との交差角度が９０度である物品収納容器は、第３および第４切離線から切り離すとともに第３折曲線で折曲して第２当接部を作り、さらに、第４折曲線で折曲して第２支持部を作った後、頂部フラップを収納部に挿入したときに、第２当接部が各側壁と並行となって上下方向上方へ起立するから、第２当接部を物品の側面に面で当接させることができ、第２当接部が物品に点で当接する場合と比較し、物品の横方向の動きを第２当接部によって確実に阻止することができる。
【００２３】
横方向の寸法が第１および第２側壁のそれと略同一の第１物品と第１物品の上に配置されて横方向の寸法が第１および第２側壁のそれよりも小さい第２物品とが収納され、第２物品を第１および第２当接部の間に支持する物品収納容器は、第１押さえ構造の第１当接部と第２押さえ構造の第２当接部とが第２物品の側面に当接しつつ、第１支持部が第１当接部を横方向から支え、第２支持部が第２当接部を横方向から支えることで、第２物品が第１および第２当接部の間に支持されるから、横方向の寸法が第１および第２側壁のそれよりも小さい第２物品を容器に収納したときに、第１および第２当接部や第１および第２支持部によって第２物品の横方向の動きが阻止され、第２物品を容器内に固定することができ、容器内のおける第２物品の不用意な遊動を防ぐことができる。物品収納容器は、第２物品が第１および第２当接部の間に支持されるから、第２物品を第１物品の上方であってその略中央に配置することができ、それら物品が容器に収納されたときの見端を向上させることができる。物品収納容器は、横方向の寸法が異なる２種類の物品を容器に固定した状態で収納かつ陳列することができ、寸法が異なる２種類の物品のセット品としてそれら物品を１つの容器で一度に販売することができる。
【００２４】
横方向の寸法が第１および第２側壁のそれと略同一の第１物品と第１物品の上に配置されて横方向の寸法が第１および第２側壁のそれよりも小さい第２および第３物品とが収納され、第２物品を第３側壁と第１当接部との間に支持し、第３物品を第４側壁と第２当接部との間に支持する物品収納容器は、第１押さえ構造の第１当接部が第２物品の側面に当接しつつ第１支持部が第１当接部を横方向から支え、第２押さえ構造の第２当接部が第３物品の側面に当接しつつ第２支持部が第２当接部を横方向から支えることで、第２物品が第３側壁と第１当接部との間に支持され、第３物品が第４側壁と第２当接部との間に支持されるから、横方向の寸法が第１および第２側壁のそれよりも小さい第２および第３物品を容器に収納したときに、第１および第２当接部や第１および第２支持部によって第２および第３物品の横方向の動きが阻止され、第２および第３物品を容器内に固定することができ、容器内のおける第２および第３物品の不用意な遊動を防ぐことができる。物品収納容器は、第２物品が第３側壁と第１当接部との間に支持され、第３物品が第４側壁と第２当接部との間に支持されるから、第２および第３物品を第１物品の上方であってその両側に配置することができ、それら物品が容器に収納されたときの見端を向上させることができる。物品収納容器は、横方向の寸法が異なる３種類の物品を容器に固定した状態で収納かつ陳列することができ、寸法が異なる３種類の物品のセット品としてそれら物品を１つの容器で一度に販売することができる。
【図面の簡単な説明】
【００２５】
【図１】一例として示す物品収納容器の展開平面図。
【図２】図１の物品収納容器における物品収納手順を示す説明図。
【図３】図２の状態から第１当接部と第１支持部とを作る手順を示す説明図。
【図４】内部に物品を収納した状態で示す物品収納容器の部分破断斜視図。
【図５】他の一例として示す物品収納容器の展開平面図。
【図６】図５の容器における物品収納手順を示す説明図。
【図７】図６の状態から第１および第２当接部と第１および第２支持部とを作る手順を示す説明図。
【図８】内部に物品を収納した状態で示す物品収納容器の部分破断斜視図。
【図９】他の一例として示す物品収納容器の展開平面図。
【図１０】図９の容器における物品収納手順を示す説明図。
【図１１】図１０の状態から第１および第２当接部と第１および第２支持部とを作る手順を示す説明図。
【図１２】内部に物品を収納した状態で示す物品収納容器の部分破断斜視図。
【発明を実施するための形態】
【００２６】
前記図１〜図４を参照し、本発明にかかる物品収納容器の一例を説明すると、以下のとおりである。なお、図１〜図４では、上下方向を矢印Ａ、横方向を矢印Ｂで示し、前後方向を矢印Ｃ（図１を除く）で示す。物品収納容器１０Ａは、図２〜４に示すように、可撓性を有する６つの壁１１，１２，１３，１４，１６，１８が実質的に直交する六面体であり、その外観形状が上下方向へ長い略直方体に成形されている。
【００２７】
物品収納容器１０Ａは、互いに対向かつ並行して上下方向へ延びる前側壁１１（第１側壁）および後側壁１２（第２側壁）と、前後側壁１１，１２の間に位置し、互いに対向かつ並行して上下方向へ延びる左側壁１３（第３側壁）および右側壁１４（第４側壁）と、頂部開口１５を開閉可能な頂壁１６と、底部開口１７を開閉可能な底壁１８と、頂部フラップ１９および底部フラップ２０と、各補助フラップ２１，２２とを有する。容器１０Ａでは、それら側壁１１〜１４と頂底壁１６，１８とのうちの隣接する壁１１，１２，１３，１４，１６，１８どうしが互いに直交するように折曲されている。容器１０Ａでは、それら側壁１１〜１４と頂底壁１６，１８とが略方形に成形されている。
【００２８】
容器１０Ａには、それら壁１１，１２，１３，１４，１６，１８に囲繞された物品収納部２３が画成されている。頂部フラップ１９には、第１当接部２４と第１支持部２５とを有する第１押さえ構造２６が形成されている。容器１０Ａは、頂部開口１５から収納部２３に後記する第１および第２物品２７，２８を収納した後、頂部開口１５を閉じ、それを陳列棚に並べたり、フックに吊下げて陳列する。なお、容器１０Ａの外観形状を上下方向へ長い直方体に限定するものではなく、その外観形状が前後方向へ長い直方体あるいは立方体であってもよい。また、容器１０Ａの大きさに特に限定はなく、収納する物品に合わせてその大きさを適宜決定することができる。
【００２９】
図１の展開平面図では、図の右方から左方へ向かって、前側壁１１、右側壁１３、後側壁１２、左側壁１４の順で並んでいる。前側壁１１には、側縁２９を介して糊代となる接合壁３０が連接されている。前側壁１１と右側壁１３とは、側縁３１を介して連接され、前側壁１１と頂壁１６とは、端縁３２を介して連接されている。右側壁１３と後側壁１２とは、側縁３３を介して連接され、後側壁１２と左側壁１４とは、側縁３４を介して連接されている。後側壁１２と底壁１８とは、端縁３５を介して連接されている。
【００３０】
前側壁１１の下端には、上下方向下方へ凸となる延長部３６が形成されている。後側壁１２の上端には、上下方向上方へ凸となる延長部３７が形成されている。後側壁１２は、上下方向の長さ寸法が前側壁１１のそれよりも長い。後側壁１２の延長部３７には、フックを挿入する挿入孔３８が形成されている。端縁３５には、上下方向下方へ凸となる切り込み３９が形成されている。頂壁１６と頂部フラップ１１９とは、端縁４０を介して連接され、底壁１８と底部フラップ２０とは、端縁４１を介して連接されている。右側壁１３の上下端縁４２には、一対の補助フラップ２１が連接され、左側壁１４に上下端縁４３には、一対の補助フラップ２２が連接されている。
【００３１】
頂部フラップ１９には、その自由端縁４４から頂壁１６に向かって縦方向へ延びる第１切離線４５と、第１切離線４５の下端４６につながって頂部フラップ１９を横方向へ延びる第２切離線４７と、第１切離線４５から横方向へ離間して頂部フラップ１８の自由端縁４４から頂壁１６に向かって縦方向へ延びる第１折曲線４８と、第２切離線４７の延出端４９につながって第１折曲線４８の下端５０から第１切離線４５の反対側に向かって横方向へ延びる第２折曲線５１とが形成されている。
【００３２】
第１切離線４５は、図１に示すように、頂部フラップ１９の自由端縁４４から頂壁１６に向かって斜め右方に下り勾配に傾斜している。第１切離線４５は、頂部フラップ１９の上下方向中央まで延びている。第２切離線４７は、頂部フラップ１９の横方向中央に形成されている。第１折曲線４８は、頂部フラップ１９の自由端縁４４から頂壁１６に向かって斜め右方に下り勾配に傾斜し、第１切離線４５と並行して頂部フラップ１１９の上下方向中央まで延び、第２切離線４７の延出端４９につながっている。第２折曲線５１は、第１折曲線４８の下端５０から横方向へ上がり勾配に傾斜して頂部フラップ１９の自由端縁４４に達している。容器１０Ａでは、第１折曲線４８と第２折曲線５１との交差角度αが９０度に調節されている。
【００３３】
第１切離線４５と第１折曲線４８との間には、第１切離線４５から横方向へ離間した頂部フラップ１９の自由端縁４４から第１切離線４５に達する第１切欠部５２が形成されている。容器１０Ａでは、第１切離線４５と第２切離線４７と第１折曲線４８とに囲繞された部位５３が第１当接部２４となり、第１折曲線４８と第２折曲線５１とに囲繞された部位５４が第１支持部２５となる。なお、図１の展開図では、第１当接部２４となる部位５３が第１切離線４５と第２切離線４７とを介して頂部フラップ１９に切離可能につながっており、かつ、第１折曲線４８で折曲されていない。また、第１支持部２５となる部位５４が第２折曲線５１で折曲されていない。
【００３４】
図１の展開平面図から容器１０Ａを組み立てる手順は、以下のとおりである。接合壁３０が前側壁１１に対して直交するように、接合壁３０を側縁２９において折曲し、前側壁１１が右側壁１３に対して直交するように、前側壁１１を側縁３１において折曲する。次に、右側壁１３が後側壁１２に対して直交するように、右側壁１３を側縁３３において折曲し、後側壁１２が左側壁１４に対して直交するように、後側壁１２を側縁３４において折曲する。それら側壁１１，１２，１３，１４，１６，１８と接合壁３０とを折曲した後は、接合壁３０が外側になるように左側壁１４と接合壁３０とを重ね合わせ、それら壁１４，３０どうしを固着する。
【００３５】
左側壁１４と接合壁３０とを固着した後、各フラップ２１が右側壁１３に対して直交するように、それらフラップ２１を端縁４２において折曲し、各フラップ２２が左側壁１４に対して直交するように、それらフラップ２２を端縁４３において折曲する。次に、底壁１８が後側壁１２に対して直交するように、底壁１８を端縁３５において折曲し、底部フラップ２０が底壁１８に対して直交するように、フラップ２０を端縁４１において折曲する。フラップ２１，２２は、底壁１８の内側に位置する。底部フラップ２０を折曲した後は、そのフラップ２０を前側壁１１の内側に挿入し、底壁１８とフラップ２０とで底部開口１７を閉じる。
【００３６】
図２の容器１０Ａに第１および第２物品２７，２８を収納し、頂部開口１５を閉じる手順は、以下のとおりである。容器１０Ａの頂部開口１５から物品収納部２３に第１物品２７を収納した後、収納部２３に第２物品２８を収納する。第１物品２７は、横方向の寸法が第１および第２側壁１１，１２のそれと略同一であり、上下方向の寸法が第１および第２側壁１１，１２のそれの略半分である。第１物品２７は、それが収納部２３に収納されたときに、その両側面５５，５６が第３および第４側壁１３，１４に当接し、横方向の動きがそれら側壁１３，１４によって阻止される。第２物品２８は、横方向の寸法が第１および第２側壁１１，１２のそれよりも小さく（横方向の寸法が第１および第２側壁１１，１２のそれの略半分）、上下方向の寸法が第１および第２側壁１１，１２のそれの略半分である。収納部２３には、第２物品２８を第１物品２７の上であって、第２物品２８の側面５７を第３側壁１３に当接させた状態で収納する。
【００３７】
それら物品２７，２８を収納した後、第１切欠部５２に指をかけ、第１切離線４５と第２切離線４７と第１折曲線４８とに囲繞された部位５３を第１切離線４５と第２切離線４７とによって頂部フラップ１９から切り離した後、その部位５３を第１折曲線４８で横方向内方へ折曲し、第１当接部２４を作る。次に、第１折曲線４８と第２折曲線５１とに囲繞された部位５４を第２折曲線５１で上下方向下方へ折曲し、第１支持部２５を作り、頂部フラップ１９に第１押さえ構造２６を形成する。第１当接部２４は、第１支持部２５に対して略直角に折り曲げられる。第１支持部２５は、フラップ１９に対して略直角に折り曲げられる。
【００３８】
第１当接部２４と第１支持部２５とを作った後は、頂壁１６が前側壁１１に対して直交するように、頂壁１６を端縁３２において折曲し、頂部フラップ１９が頂壁１６に対して直交するように、フラップ１９を端縁４０において折曲する。フラップ２１，２２は、頂壁１６の内側に位置する。頂部フラップ１９を折曲した後は、そのフラップ１９を後側壁１２の内側であって収納部２３に挿入し、頂壁１６とフラップ１９とで頂部開口１５を閉じる。
【００３９】
頂部フラップ１９を後側壁１２の内側に挿入し、頂部開口１５を閉じると、図４に示すように、第１押さえ構造２６の第１当接部２４が各側壁１１〜１４と並行となって第２物品２８の側面５８に面で当接しつつ、第１支持部２５が頂壁１６と並行となって第１当接部２４を横方向から支える（第１当接部２４を横方向へ押圧する）。収納部２３では、第１当接部２４や第１支持部２５によって第２物品２８の横方向の動きが阻止され、第２物品２８が容器１０Ａの右側壁１３と第１当接部２４との間に支持される。
【００４０】
後側壁１２の延長部３７に形成された挿入孔３８にフックを挿入することで、容器１０Ａをフックに吊下げることができる。また、容器１０Ａを陳列棚に起立させて並べることができる。第１および第２物品２７，２８を容器１０Ａから取り出すには、頂部フラップ１９を収納部２３から引き抜き、頂部開口１５を開ける。頂部フラップ１９を収納部２３から引き抜くと、第１当接部２４が第２物品２８の側面５８から離れ、第２物品２８の固定が解除される。第２物品２８を収納部２３から取り出した後、第１物品２７を収納部２３から取り出す。
【００４１】
物品収納容器１０Ａは、第１当接部２４が第２物品２８の側面５８に面で当接しつつ、第１支持部２５が第１当接部２４を横方向から支えることで、第２物品２８が容器１０Ａの右側壁１３と第１当接部２４との間に支持されるから、横方向の寸法が前後側壁１１，１２のそれよりも小さい第２物品２８を容器１０Ａに収納したときに、第１当接部２４や第１支持部２５によって第２物品２８の横方向の動きが確実に阻止され、第２物品２８を容器１０Ａ内に固定することができ、容器１０Ａ内のおけるそれら物品２７，２８の不用意な遊動を防ぐことができる。物品収納容器１０Ａは、横方向の寸法が異なる２種類の物品２７，２８を容器１０Ａに固定した状態で収納かつ陳列することができ、寸法が異なる２種類の物品２７，２８のセット品としてそれら物品２７，２８を１つの容器１０Ａで一度に販売することができる。
【００４２】
物品収納容器１０Ａは、第１切離線４５と第１折曲線４８との間に頂部フラップ１９の自由端縁４４から第１切離線４５に達する第１切欠部５２が形成されているから、頂部フラップ１９の部位５３を第１および第２切離線４５，４７から切り離すとともに第１折曲線４８で折曲することで第１当接部２４を作るときに、第１切欠部５２を利用して第１当接部２４となる部位５３を第１および第２切離線４５，４７から容易に切り離すことができるとともに、第１切欠部５２を利用して第１折曲線４８で容易に折曲することができ、頂部フラップ１９に第１切欠部５２が形成されていない場合と比較し、頂部フラップ１９において第１当接部２４を作るときの操作性が向上する。
【００４３】
物品収納容器１０Ａは、第１折曲線４８と第２折曲線５１との交差角度αが９０度に調節されているから、第１および第２切離線４５，４７から切り離すとともに第１折曲線４８で折曲して第１当接部２４を作り、さらに、第２折曲線５１で折曲して第１支持部２５を作った後、頂部フラップ１９を収納部２３に挿入したときに、第１当接部２４が各側壁１１〜１４と並行となって上下方向上方へ起立する。ゆえに、第１当接部２４を第２物品２８の側面５８に面で当接させることができ、第１当接部２４が第２物品２８に点で当接する場合と比較し、第２物品２８の横方向の動きを第１当接部２４によって確実に阻止することができる。
【００４４】
前記図５〜図８を参照し、物品収納容器の他の一例を説明すると、以下のとおりである。なお、図５〜図８では、上下方向を矢印Ａ、横方向を矢印Ｂで示し、前後方向を矢印Ｃ（図５を除く）で示す。物品収納容器１０Ｂは、図６〜８に示すように、可撓性を有する６つの壁１１，１２，１３，１４，１６，１８が実質的に直交する六面体であり、その外観形状が上下方向へ長い略直方体に成形されている。この容器１０Ｂが図１〜図４に示す容器１０Ａと異なるのは、頂部フラップ１９に第１当接部２４と第１支持部２５とを有する第１押さえ構造２５が形成されていることの他に、第２当接部５９と第２支持部６０とを有する第２押さえ構造６１が形成されている点にある。なお、この容器１０Ｂのその他の構成は図１〜図４の容器１０Ａのそれらと同一であるから、図１〜図４と同一の符号を付すことで、この容器１０Ｂのその他の構成の説明は省略する。
【００４５】
この容器１０Ｂでは、図５に示すように、頂部フラップ１９を横方向に二分する仮想中心線Ｌ１の横方向右方に第１当接部２４や第１支持部２５となる部位５３，５４が形成され、仮想中心線Ｌ１の横方向左方に第２当接部５９や第２支持部６０となる部位６２，６３が形成されている。容器１０Ｂでは、それら部位５３，５４，６２，６３が仮想中心線Ｌ１を挟んで左右対称に作られている。
【００４６】
頂部フラップ１９の仮想中心線Ｌ１の横方向右方には、フラップ１９の自由端縁４４から頂壁１６に向かって縦方向へ延びる第１切離線４５と、第１切離線４５の下端４６につながって頂部フラップ１９を横方向へ延びる第２切離線４７と、第１切離線４５から横方向へ離間して頂部フラップ１８の自由端縁４４から頂壁１６に向かって縦方向へ延びる第１折曲線４８と、第２切離線４７の延出端４９につながって第１折曲線４８の下端５０から第１切離線４５の反対側に向かって横方向へ延びる第２折曲線５１とが形成されている。
【００４７】
第１切離線４５は、図５に示すように、頂部フラップ１９の自由端縁４４から頂壁１６に向かって斜め右方に下り勾配に傾斜している。第１切離線４５は、頂部フラップ１９の上下方向中央まで延びている。第２切離線４７は、頂部フラップ１９の横方向中央に形成されている。第１折曲線４８は、頂部フラップ１９の自由端縁４４から頂壁１６に向かって斜め右方に下り勾配に傾斜し、第１切離線４５と並行して頂部フラップ１９の上下方向中央まで延び、第２切離線４７の延出端４９につながっている。第２折曲線５１は、第１折曲線４８の下端５０から横方向へ上がり勾配に傾斜して頂部フラップ１９の自由端縁４４に達している。容器１０Ａでは、第１折曲線４８と第２折曲線５１との交差角度α１が９０度に調節されている。第１切離線４５と第１折曲線４８との間には、第１切離線４５から横方向へ離間した頂部フラップ１９の自由端縁４４から第１切離線４５に達する第１切欠部５２が形成されている。
【００４８】
頂部フラップ１９の仮想中心線Ｌ１の横方向左方には、フラップ１９の自由端縁４４から頂壁１６に向かって縦方向へ延びる第３切離線６４と、第３切離線６４の下端６５につながって頂部フラップ１９を横方向へ延びる第４切離線６６と、第３切離線６４から横方向へ離間して頂部フラップ１９の自由端縁４４から頂壁１６に向かって縦方向へ延びる第３折曲線６７と、第４切離線６６の延出端６８につながって第３折曲線６７の下端６９から第３切離線６４の反対側に向かって横方向へ延びる第４折曲線７０とが形成されている。
【００４９】
第３切離線６４は、図５に示すように、頂部フラップ１９の自由端縁４４から頂壁１６に向かって斜め左方に下り勾配に傾斜している。第３切離線６４は、頂部フラップ１９の上下方向中央まで延びている。第４切離線６６は、頂部フラップ１９の横方向中央に形成されている。第３折曲線６７は、頂部フラップ１９の自由端縁４４から頂壁１６に向かって斜め左方に下り勾配に傾斜し、第３切離線６４と並行して頂部フラップ１９の上下方向中央まで延び、第４切離線６６の延出端６８につながっている。第４折曲線７０は、第３折曲線６７の下端６９から横方向へ上がり勾配に傾斜して頂部フラップ１９の自由端縁４４に達している。容器１０Ｂでは、第３折曲線６７と第４折曲線７０との交差角度α２が９０度に調節されている。第３切離線６４と第３折曲線６７との間には、第３切離線６４から横方向へ離間した頂部フラップ１９の自由端縁４４から第３切離線６４に達する第２切欠部７１が形成されている。
【００５０】
容器１０Ｂでは、第１切離線４５と第２切離線４７と第１折曲線４８とに囲繞された部位５３が第１当接部２４となり、第１折曲線４８と第２折曲線５１とに囲繞された部位５４が第１支持部２５となる。第３切離線６４と第４切離線６６と第３折曲線６７とに囲繞された部位６２が第２当接部５９となり、第３折曲線６７と第４折曲線７０とに囲繞された部位６３が第２支持部６０となる。なお、図５の展開図では、第１当接部２４となる部位５３が第１切離線４５と第２切離線４７とを介して頂部フラップ１９に切離可能につながっており、第１折曲線４８で折曲されていない。また、第１支持部２５となる部位５４が第２折曲線５１で折曲されていない。さらに、第２当接部５９となる部位６２が第３切離線６４と第４切離線６６とを介して頂部フラップ１９に切離可能につながっており、第３折曲線６７で折曲されていない。また、第２支持部６０となる部位６３が第４折曲線７０で折曲されていない。
【００５１】
図５の展開平面図から容器１０Ｂを組み立てる手順は、図１の展開平面図から容器１０Ａを組み立てる手順と同一である。図６の容器１０Ｂに第１および第２物品２７，２８を収納し、頂部開口１５を閉じる手順は、以下のとおりである。容器１０Ｂの頂部開口１５から物品収納部２３に第１物品２７を収納した後、収納部２３に第２物品２８を収納する。第１物品２７は、横方向の寸法が第１および第２側壁１１，１２のそれと略同一であり、上下方向の寸法が第１および第２側壁１１，１２のそれの略半分である。第１物品２７は、それが収納部２３に収納されたときに、その両側面５５，５６が左右側壁１３，１４に当接し、横方向の動きがそれら側壁１３，１４によって阻止される。第２物品２８は、横方向の寸法が前後側壁１１，１２のそれよりも小さく、上下方向の寸法が前後側壁１１，１２のそれの略半分である。収納部２３には、第２物品２８を第１物品２７の上であって前後壁１１，１２の略中央に位置させた状態で収納する。
【００５２】
それら物品２７，２８を収納した後、第１切欠部５２に指をかけ、第１切離線４５と第２切離線４７と第１折曲線４８とに囲繞された部位５３を第１切離線４５と第２切離線４７とによって頂部フラップ１９から切り離した後、その部位５３を第１折曲線４８で横方向内方へ折曲し、第１当接部２４を作る。次に、第１折曲線４８と第２折曲線５１とに囲繞された部位５４を第２折曲線５１で上下方向下方へ折曲し、第１支持部２５を作り、頂部フラップ１９に第１押さえ構造２６を形成する。
【００５３】
さらに、第２切欠部７１に指をかけ、第３切離線６４と第４切離線６６と第３折曲線６７とに囲繞された部位６２を第３切離線６４と第４切離線６６とによって頂部フラップ１９から切り離した後、その部位６２を第３折曲線６７で横方向内方へ折曲し、第２当接部５９を作る。次に、第３折曲線６７と第４折曲線７０とに囲繞された部位６３を第４折曲線７０で上下方向下方へ折曲し、第２支持部６０を作り、頂部フラップ１９に第２押さえ構造６１を形成する。
【００５４】
第１当接部２４は、第１支持部２５に対して略直角に折り曲げられる。第１支持部２５は、フラップ１９に対して略直角に折り曲げられる。第２当接部５９は、第２支持部６０に対して略直角に折り曲げられる。第２支持部６０は、フラップ１９に対して略直角に折り曲げられる。第１当接部２４や第１支持部２５、第２当接部５９、第２支持部６０を作った後は、頂壁１６が前側壁１１に対して直交するように、頂壁１６を端縁３２において折曲し、頂部フラップ１９が頂壁１６に対して直交するように、フラップ１９を端縁４０において折曲する。フラップ２１，２２は、頂壁１６の内側に位置する。頂部フラップ１９を折曲した後は、そのフラップ１９を後側壁１２の内側であって収納部２３に挿入し、頂壁１６とフラップ１９とで頂部開口１５を閉じる。
【００５５】
頂部フラップ１９を後側壁１２の内側に挿入し、頂部開口１５を閉じると、図８に示すように、第１押さえ構造２６の第１当接部２４が各側壁１１〜１４と並行となって第２物品２８の側面５８に面で当接しつつ、第１支持部２５が頂壁１６と並行となって第１当接部２４を横方向から支える（第１当接部２４を横方向へ押圧する）。さらに、第２押さえ構造６１の第２当接部５９が各側壁１１〜１４と並行となって第２物品２８の側面５７に面で当接しつつ、第２支持部６０が頂壁１６と並行となって第２当接部５９を横方向から支える（第２当接部５９を横方向へ押圧する）。収納部２３では、第１当接部２４や第１支持部２５、第２当接部５９、第２支持部６０によって第２物品２８の横方向の動きが阻止され、第２物品２８が第１当接部２４と第２当接部５９との間であって容器１０Ｂの略中央に支持される。
【００５６】
後側壁１２の延長部３７に形成された挿入孔３８にフックを挿入することで、容器１０Ｂをフックに吊下げることができる。また、容器１０Ｂを陳列棚に起立させて並べることができる。第１および第２物品２７，２８を容器１０Ｂから取り出すには、頂部フラップ１９を収納部２３から引き抜き、頂部開口１５を開ける。頂部フラップ１９を収納部２３から引き抜くと、第１当接部２４が第２物品２８の側面５８から離れるとともに、第２当接部５９が第２物品２８の側面５７から離れ、第２物品２８の固定が解除される。第２物品２８を収納部２３から取り出した後、第１物品２７を収納部２３から取り出す。
【００５７】
物品収納容器１０Ｂは、第１および第２当接部２４，５９が第２物品２８の側面５７，５８に面で当接しつつ、第１および第２支持部２５，６０がそれら当接部２４，５９を横方向から支えることで、第２物品２８が第１当接部２４と第２当接部５９との間に支持されるから、横方向の寸法が第１および前後側壁１１，１２のそれよりも小さい第２物品２８を容器１０Ｂに収納したときに、第１および第２当接部２４，５９や第１および第２支持部２５，６０によって第２物品２８の横方向の動きが確実に阻止され、第２物品２８を容器１０Ｂ内に固定することができ、容器１０Ｂ内のおけるそれら物品２７，２８の不用意な遊動を防ぐことができる。
【００５８】
物品収納容器１０Ｂは、第２物品２８が第１および第２当接部２４，５９の間に支持されるから、第２物品２８を第１物品２７の上方であって前後側壁１１，１２の略中央に配置することができ、それら物品２７，２８が容器１０Ｂに収納されたときの見端を向上させることができる。物品収納容器１０Ｂは、横方向の寸法が異なる２種類の物品２７，２８を容器１０Ｂに固定した状態で収納かつ陳列することができ、寸法が異なる２種類の物品２７，２８のセット品としてそれら物品２７，２８を１つの容器１０Ｂで一度に販売することができる。
【００５９】
物品収納容器１０Ｂは、第１切離線４５と第１折曲線４８との間に頂部フラップ１９の自由端縁４４から第１切離線４５に達する第１切欠部５２が形成されているから、頂部フラップ１９の部位５３を第１および第２切離線４５，４７から切り離すとともに第１折曲線４８で折曲することで第１当接部２４を作るときに、第１切欠部５２を利用して第１当接部２４となる部位５３を第１および第２切離線４５，４７から容易に切り離すことができるとともに、第１切欠部５２を利用して第１折曲線４８で容易に折曲することができる。また、第３切離線６４と第３折曲線６７との間に頂部フラップ１９の自由端縁４４から第３切離線６４に達する第２切欠部７１が形成されているから、頂部フラップ１９の部位６２を第３および第４切離線６４，６６から切り離すとともに第３折曲線６７で折曲することで第２当接部５９を作るときに、第２切欠部７１を利用して第２当接部５９となる部位６２を第３および第４切離線６４，６６から容易に切り離すことができるとともに、第２切欠部７１を利用して第３折曲線６７で容易に折曲することができる。物品収納容器１０Ｂは、頂部フラップ１９に第１および第２切欠部５２，７１が形成されていない場合と比較し、頂部フラップ１９において第１当接部２４や第２当接部５９を作るときの操作性が向上する。
【００６０】
物品収納容器１０Ｂは、第１折曲線４８と第２折曲線５１との交差角度α１が９０度に調節されているから、第１および第２切離線４５，４７から切り離すとともに第１折曲線４８で折曲して第１当接部２４を作り、さらに、第２折曲線５１で折曲して第１支持部２５を作った後、頂部フラップ１９を収納部２３に挿入したときに、第１当接部２４が各側壁１１〜１４と並行となって上下方向上方へ起立する。ゆえに、第１当接部２４を第２物品２８の側面５８に面で当接させることができ、第１当接部２４が第２物品２８に点で当接する場合と比較し、第２物品２８の横方向の動きを第１当接部２４によって確実に阻止することができる。
【００６１】
物品収納容器１０Ａは、第３折曲線６７と第４折曲線７０との交差角度α２が９０度に調節されているから、第３および第４切離線６４，６６から切り離すとともに第３折曲線６７で折曲して第２当接部５９を作り、さらに、第４折曲線７０で折曲して第２支持部６０を作った後、頂部フラップ１９を収納部２３に挿入したときに、第２当接部５９が各側壁１１〜１４と並行となって上下方向上方へ起立する。ゆえに、第２当接部５９を第２物品２８の側面５７に面で当接させることができ、第２当接部５９が第２物品２８に点で当接する場合と比較し、第２物品２８の横方向の動きを第２当接部５９によって確実に阻止することができる。
【００６２】
前記図９〜図１２を参照し、物品収納容器の他の一例を説明すると、以下のとおりである。なお、図９〜図１２では、上下方向を矢印Ａ、横方向を矢印Ｂで示し、前後方向を矢印Ｃ（図９を除く）で示す。物品収納容器１０Ｃは、図１０〜１２に示すように、可撓性を有する６つの壁１１，１２，１３，１４，１６，１８が実質的に直交する六面体であり、その外観形状が上下方向へ長い略直方体に成形されている。この容器１０Ｃが図１〜図４に示す容器１０Ａと異なるのは、頂部フラップ１９に第１当接部２４と第１支持部２５とを有する第１押さえ構造２６が形成されていることの他に第２当接部５９と第２支持部６０とを有する第２押さえ構造６１が形成されている点、物品収納部２３に第１〜第３物品２７，２８，７２が収納される点にある。なお、この容器１０Ｃのその他の構成は図１〜図４の容器１０Ａのそれらと同一であるから、図１〜図４と同一の符号を付すことで、この容器１０Ｃのその他の構成の説明は省略する。
【００６３】
この容器１０Ｃでは、図９に示すように、頂部フラップ１９を横方向に二分する仮想中心線Ｌ１の横方向左方に第１当接部２４や第１支持部２５となる部位５３，５４が形成され、仮想中心線Ｌ１の横方向右方に第２当接部５９や第２支持部６０となる部位６２，６３が形成されている。容器１０Ｃでは、それら部位５３，５４，６２，６３が仮想中心線Ｌ１を挟んで左右対称に作られている。頂部フラップ１９の仮想中心線Ｌ１の横方向左方には、フラップ１９の自由端縁４４から頂壁１６に向かって縦方向へ延びる第１切離線４５と、第１切離線４５の下端４６につながって頂部フラップ１９を横方向へ延びる第２切離線４７と、第１切離線４５から横方向へ離間して頂部フラップ１９の自由端縁４４から頂壁１６に向かって縦方向へ延びる第１折曲線４８と、第２切離線４７の延出端４９につながって第１折曲線４８の下端５０から第１切離線の４５反対側（仮想中心線Ｌ１）に向かって横方向へ延びる第２折曲線５１とが形成されている。
【００６４】
第１切離線４５は、図９に示すように、頂部フラップ１９の自由端縁４４から頂壁１６に向かって斜め右方に下り勾配に傾斜している。第１切離線４５は、頂部フラップ１９の上下方向中央まで延びている。第２切離線４７は、頂部フラップ１９の横方向中央に形成されている。第１折曲線４８は、頂部フラップ１９の自由端縁４４から頂壁１６に向かって斜め右方に下り勾配に傾斜し、第１切離線４５と並行して頂部フラップ１９の上下方向中央まで延び、第２切離線４７の延出端４９につながっている。第２折曲線５１は、第１折曲線４８の下端５０から横方向へ上がり勾配に傾斜して頂部フラップ１９の自由端縁４４に達している。容器１０Ｃでは、第１折曲線４８と第２折曲線５１との交差角度α１が９０度に調節されている。第１切離線４５と第１折曲線４８との間には、第１切離線４５から横方向へ離間した頂部フラップ１９の自由端縁４４から第１切離線４５に達する第１切欠部５２が形成されている。
【００６５】
頂部フラップ１９の仮想中心線Ｌ１の横方向右方には、フラップ１９の自由端縁４４から頂壁１６に向かって縦方向へ延びる第３切離線６４と、第３切離線６４の下端６５につながって頂部フラップ１９を横方向へ延びる第４切離線６６と、第３切離線６４から横方向へ離間して頂部フラップ１９の自由端縁４４から頂壁１６に向かって縦方向へ延びる第３折曲線６７と、第４切離線６６の延出端６８につながって第３折曲線６７の下端６９から第３切離線６６の反対側（仮想中心線Ｌ１）に向かって横方向へ延びる第４折曲線７０とが形成されている。
【００６６】
第３切離線６４は、図９に示すように、頂部フラップ１９の自由端縁４４から頂壁１６に向かって斜め右方に下り勾配に傾斜している。第３切離線６４は、頂部フラップ１９の上下方向中央まで延びている。第４切離線６６は、頂部フラップ１９の横方向中央に形成されている。第３折曲線６７は、頂部フラップ１９の自由端縁４４から頂壁１６に向かって斜め右方に下り勾配に傾斜し、第３切離線６４と並行して頂部フラップ１９の上下方向中央まで延び、第４切離線６６の延出端６８につながっている。第４折曲線７０は、第３折曲線６７の下端６９から横方向へ上がり勾配に傾斜して頂部フラップ１９の自由端縁４４に達している。容器１０Ｃでは、第３折曲線６７と第４折曲線７０との交差角度α２が９０度に調節されている。第３切離線６４と第３折曲線６７との間には、第３切離線６４から横方向へ離間した頂部フラップ１９の自由端縁４４から第３切離線６４に達する第２切欠部７１が形成されている。
【００６７】
容器１０Ｃでは、第１切離線４５と第２切離線４７と第１折曲線４８とに囲繞された部位５３が第１当接部２４となり、第１折曲線４８と第２折曲線５１とに囲繞された部位５４が第１支持部２５となる。第３切離線６４と第４切離線６６と第３折曲線６７とに囲繞された部位６２が第２当接部５９となり、第３折曲線６７と第４折曲線７０とに囲繞された部位６３が第２支持部６０となる。なお、図９の展開図では、第１当接部２４となる部位５３が第１切離線４５と第２切離線４７とを介して頂部フラップ１９に切離可能につながっており、かつ、第１折曲線４８で折曲されていない。また、第１支持部２５となる部位５４が第２折曲線５１で折曲されていない。さらに、第２当接部５９となる部位６２が第３切離線６４と第４切離線６６とを介して頂部フラップ１９に切離可能につながっており、かつ、第３折曲線６７で折曲されていない。また、第２支持部６０となる部位６３が第４折曲線７０で折曲されていない。
【００６８】
図９の展開平面図から容器１０Ｃを組み立てる手順は、図１の展開平面図から容器１０Ａを組み立てる手順と同一である。図１０の容器１０Ｃに第１〜第３物品２７，２８，７２を収納し、頂部開口１５を閉じる手順は、以下のとおりである。容器１０Ｃの頂部開口１５から物品収納部２３に第１物品２７を収納した後、収納部２３に第２および第３物品２８，７２を収納する。第１物品２７は、横方向の寸法が第１および第２側壁１１，１２のそれと略同一であり、上下方向の寸法が第１および第２側壁１１，１２のそれの略半分である。第１物品２７は、それが収納部２３に収納されたときに、その両側面５５，５６が第３および第４側壁１３，１４に当接し、横方向の動きがそれら側壁１３，１４によって阻止される。第２および第３物品２８，７１は、横方向の寸法が前後側壁１１，１２のそれよりも小さく、上下方向の寸法が前後側壁１１，１２のそれの略半分である。収納部２３には、第２物品２８を第１物品２７の上であってその側面５７を第３側壁１３に当接させた状態で収納し、第３物品７２を第１物品２７の上であってその側面７４を第４側壁１４に当接させた状態で収納する。
【００６９】
それら物品２７，２８，７２を収納した後、第１切欠部５２に指をかけ、第１切離線４５と第２切離線４７と第１折曲線４８とに囲繞された部位５３を第１切離線４５と第２切離線４７とによって頂部フラップ１９から切り離した後、その部位５３を第１折曲線４８で横方向内方へ折曲し、第１当接部２４を作る。次に、第１折曲線４８と第２折曲線５１とに囲繞された部位５４を第２折曲線５１で上下方向下方へ折曲し、第１支持部２５を作り、頂部フラップ１９に第１押さえ構造２６を形成する。
【００７０】
さらに、第２切欠部７１に指をかけ、第３切離線６４と第４切離線６６と第３折曲線６７とに囲繞された部位６２を第３切離線６４と第４切離線６６とによって頂部フラップ１９から切り離した後、その部位６２を第３折曲線６７で横方向内方へ折曲し、第２当接部５９を作る。次に、第３折曲線６７と第４折曲線７０とに囲繞された部位６３を第４折曲線７０で上下方向下方へ折曲し、第２支持部６０を作り、頂部フラップ１９に第２押さえ構造６１を形成する。
【００７１】
第１当接部２４は、第１支持部２５に対して略直角に折り曲げられる。第１支持部２５は、フラップ１９に対して略直角に折り曲げられる。第２当接部５９は、第２支持部６０に対して略直角に折り曲げられる。第２支持部６０は、フラップ１９に対して略直角に折り曲げられる。第１当接部２４や第１支持部２５、第２当接部５９、第２支持部６０を作った後は、頂壁１６が前側壁１１に対して直交するように、頂壁１６を端縁３２において折曲し、頂部フラップ１９が頂壁１６に対して直交するように、フラップ１９を端縁４０において折曲する。フラップ２１，２２は、底壁１８の内側に位置する。頂部フラップ１９を折曲した後は、そのフラップ１９を後側壁１２の内側であって収納部２３に挿入し、頂壁１６とフラップ１９とで頂部開口１５を閉じる。
【００７２】
頂部フラップ１９を後側壁１２の内側に挿入し、頂部開口１５を閉じると、図１２に示すように、第１押さえ構造２６の第１当接部２４が各側壁１１〜１４と並行となって第２物品２８の側面５８に面で当接しつつ、第１支持部２４が頂壁１６と並行となって第１当接部２４を横方向から支える（第１当接部２４を横方向へ押圧する）。さらに、第２押さえ構造６１の第２当接部５９が各側壁１１〜１４と並行となって第３物品７２の側面７３に面で当接しつつ、第２支持部６０が頂壁１６と並行となって第２当接部５９を横方向から支える（第２当接部５９を横方向へ押圧する）。収納部２３では、第１当接部２４や第１支持部２５によって第２物品２８の横方向の動きが阻止され、第２物品２８が右側壁１３と第１当接部２４との間に支持されるとともに、第２当接部５９や第２支持部６０によって第３物品７２の横方向の動きが阻止され、第３物品７２が左側壁１４と第２当接部５９との間に支持される。
【００７３】
後側壁１２の延長部３７に形成された挿入孔３８にフックを挿入することで、容器１０Ｃをフックに吊下げることができる。また、容器１０Ｃを陳列棚に起立させて並べることができる。第１〜第３物品２７，２８，７２を容器１０Ｃから取り出すには、頂部フラップ１９を収納部２３から引き抜き、頂部開口１５を開ける。頂部フラップ１９を収納部２３から引き抜くと、第１当接部２４が第２物品２８の側面５８から離れ、第２物品２８の固定が解除され、第２当接部５９が第３物品７２の側面７３から離れ、第３物品７２の固定が解除される。第２および第３物品２７，７２を収納部２３から取り出した後、第１物品２７を収納部２３から取り出す。
【００７４】
物品収納容器１０Ｃは、第１および第２当接部２４，５９が第２および第３物品２８，７２の側面５８，７３に面で当接しつつ、第１および第２支持部２５，６０がそれら当接部２４、５９を横方向から支えることで、第２物品２８が右側壁１３と第１当接部２４との間に支持され、第３物品７２が左側壁１４と第２当接部５９との間に支持されるから、横方向の寸法が前後側壁１１，１２のそれよりも小さい第２および第３物品２８，７２を容器１０Ｃに収納したときに、第１および第２当接部２４，５９や第１および第２支持部２５，６０によって第２および第３物品２８，７２の横方向の動きが確実に阻止され、それら物品２８，７２を容器１０Ｃ内に固定することができ、容器１０Ｃ内のおけるそれら物品２７，２８，７２の不用意な遊動を防ぐことができる。
【００７５】
物品収納容器１０Ｃは、第２物品２８が右側壁１３と第１当接部２４との間に支持され、第３物品７２が左側壁１４と第２当接部５９との間に支持されるから、第２物品２８を第１物品２７の上方であって右側壁１３の側に配置することができ、第３物品７２を第１物品２７の上方であって左側壁１４の側に配置することができ、それら物品２７，２８，７２が容器１０Ｃに収納されたときの見端を向上させることができる。物品収納容器１０Ｃは、横方向の寸法が異なる３種類の物品２７，２８，７２を容器１０Ｃに固定した状態で収納かつ陳列することができ、寸法が異なる３種類の物品２７，２８，７２のセット品としてそれら物品２７，２８，７２を１つの容器１０Ｃで一度に販売することができる。
【００７６】
物品収納容器１０Ｃは、第１切離線４５と第１折曲線４８との間に頂部フラップ１９の自由端縁４４から第１切離線４５に達する第１切欠部５２が形成されているから、頂部フラップ１９の部位５３を第１および第２切離線４５，４７から切り離すとともに第１折曲線４８で折曲することで第１当接部２４を作るときに、第１切欠部５２を利用して第１当接部２４となる部位５３を第１および第２切離線４５，４７から容易に切り離すことができるとともに、第１切欠部５２を利用して第１折曲線４８で容易に折曲することができる。
【００７７】
物品収納容器１０Ｃは、第３切離線６４と第３折曲線６７との間に頂部フラップ１９の自由端縁４４から第３切離線６４に達する第２切欠部７１が形成されているから、頂部フラップ１９の部位６２を第３および第４切離線６４，６６から切り離すとともに第３折曲線６７で折曲することで第２当接部５９を作るときに、第２切欠部７１を利用して第２当接部５９となる部位６２を第３および第４切離線６４，６６から容易に切り離すことができるとともに、第２切欠部７１を利用して第３折曲線６７で容易に折曲することができる。物品収納容器１０Ｃは、頂部フラップ１９に第１および第２切欠部５２，７１が形成されていない場合と比較し、頂部フラップ１９において第１当接部２４や第２当接部５９を作るときの操作性が向上する。
【００７８】
物品収納容器１０Ｃは、第１折曲線４８と第２折曲線５１との交差角度α１が９０度に調節されているから、第１および第２切離線４５，４７から切り離すとともに第１折曲線４８で折曲して第１当接部２４を作り、さらに、第２折曲線５１で折曲して第１支持部２５を作った後、頂部フラップ１９を収納部２３に挿入したときに、第１当接部２４が各側壁１１〜１４と並行となって上下方向上方へ起立する。ゆえに、第１当接部２４を第２物品２８の側面５８に面で当接させることができ、第１当接部２４が第２物品２８に点で当接する場合と比較し、第２物品２８の横方向の動きを第１当接部２４によって確実に阻止することができる。
【００７９】
物品収納容器１０Ｃは、第３折曲線６７と第４折曲線７０との交差角度α２が９０度に調節されているから、第３および第４切離線６４，６６から切り離すとともに第３折曲線６７で折曲して第２当接部５９を作り、さらに、第４折曲線７０で折曲して第２支持部６０を作った後、頂部フラップ１９を収納部２３に挿入したときに、第２当接部５９が各側壁１１〜１４と並行となって上下方向上方へ起立する。ゆえに、第２当接部５９を第３物品７２の側面７３に面で当接させることができ、第２当接部５９が第３物品７２に点で当接する場合と比較し、第３物品７２の横方向の動きを第２当接部５９によって確実に阻止することができる。
【００８０】
容器１０Ａ〜１０Ｃの材質としては、クラフト紙やグラシン紙等の紙、ポリプロピレンやポリエチレン等の熱可塑性合成樹脂から形成されたプラスチックシート、または、紙とプラスチックシートとをラミネートした複合シートのいずれかを使用することができる。左側壁１４と接合部３０との固着には、接着剤の他に、ヒートシールや超音波接合等の熱による溶着手段を利用することができる。それら容器１０Ａ〜１０Ｃでは、フラップ１９に第１切欠部５２や第２切欠部７１が形成されていなくてもよい。
【００８１】
それら容器１０Ａ〜１０Ｃでは、前側壁１１が請求の範囲における第１側壁に相当し、後側壁１２が請求の範囲における第２側壁に相当するとともに、左右側壁１３，１４が請求の範囲における第３および第４側壁に相当する。ただし、それら側壁１１〜１４が請求の範囲における第１〜第４側壁を直ちに意味するものではなく、それら側壁１１〜１４のうちのいずれかを請求の範囲における第１側壁とすることができる。たとえば、後側壁１２を第１側壁とした場合は、前側壁１１が第２側壁となり、左右側壁１３，１４が第３および第４側壁となる。また、左側壁１４を第１側壁とした場合は、右側壁１３が第２側壁となり、前後側壁１１，１２が第３および第４側壁となる。
【符号の説明】
【００８２】
１０Ａ    物品収納容器
１０Ｂ    物品収納容器
１０Ｃ    物品収納容器
１１      前側壁（第１側壁）
１２      後側壁（第２側壁）
１３      右側壁（第３側壁）
１４      左側壁（第４側壁）
１５      頂部開口
１６      頂壁
１７      底部開口
１８      底壁
１９      頂部フラップ
２３      物品収納部
２４      第１当接部
２５      第１支持部
２６      第１押さえ構造
２７      第１物品
２８      第２物品
４４      自由端縁
４５      第１切離線
４６      下端
４７      第２切離線
４８      第１折曲線
４９      延出端
５０      下端
５１      第２折曲線
５２      第１切欠部
５３      部位
５４      部位
５９      第２当接部
６０      第２支持部
６１      第２押さえ構造
６２      部位
６３      部位
６４      第３切離線
６５      下端
６６      第４切離線
６７      第３折曲線
６８      延出端
６９      下端
７０      第４折曲線
７１      第２切欠部
７２      第３物品
【図１】
2011042374.tif 000003
【図２】
2011042374.tif 000004
【図３】
2011042374.tif 000005
【図４】
2011042374.tif 000006
【図５】
2011042374.tif 000007
【図６】
2011042374.tif 000008
【図７】
2011042374.tif 000009
【図８】
2011042374.tif 000010
【図９】
2011042374.tif 000011
【図１０】
2011042374.tif 000012
【図１１】
2011042374.tif 000013
【図１２】
2011042374.tif 000014